(57)【要約】【課題】本発明は、Ｗｅｂウィジェットを製作するための装置及び方法を提供する。【解決手段】本発明は、Ｗｅｂウィジェットを製作するためのＷｅｂウィジェット製作ツールをコンテンツ提供者の装置に提供するステップと、コンテンツ提供者の装置からＷｅｂウィジェットを製作するために使用されるＷｅｂウィジェット生成情報を受信するステップと、Ｗｅｂウィジェット生成情報に基づいてＷｅｂウィジェットに対するインストールファイルを生成するステップと、生成されたＷｅｂウィジェットに対するインストールファイルをコンテンツ提供者の装置に転送するステップとを有する。【選択図】図３
2014170545.tif 000002
【特許請求の範囲】
【請求項１】
Ｗｅｂウィジェットを製作するための装置であって、
Ｗｅｂウィジェットを製作するためのＷｅｂウィジェット製作ツールをコンテンツ提供者の装置に提供し、前記コンテンツ提供者の装置から前記Ｗｅｂウィジェットの製作に使用されるＷｅｂウィジェット生成情報を受信するＷｅｂウィジェット製作部と、
前記Ｗｅｂウィジェット生成情報に基づいて前記Ｗｅｂウィジェットに対するインストールファイルを生成するＷｅｂウィジェットインストールファイル生成部を含み、
前記装置は、前記Ｗｅｂウィジェットに対する、生成されたインストールファイルを前記コンテンツ提供者の装置に転送することを特徴とする装置。
【請求項２】
前記Ｗｅｂウィジェット生成情報は、
Ｗｅｂウィジェットフレーム構成情報、Ｗｅｂウィジェット設定情報、Ｗｅｂウィジェット付加情報、及びＷｅｂウィジェットコンテンツ構成情報を含むことを特徴とする請求項１記載の装置。
【請求項３】
前記Ｗｅｂウィジェット製作ツールは、
Ｗｅｂページ形式で構成され、前記Ｗｅｂウィジェットフレーム構成情報、前記Ｗｅｂウィジェット設定情報、前記Ｗｅｂウィジェット付加情報、及び前記Ｗｅｂウィジェットコンテンツ構成情報を入力するための入力ページを含むことを特徴とする請求項２に記載の装置。
【請求項４】
前記Ｗｅｂウィジェットフレーム構成情報は、
前記Ｗｅｂウィジェットをインストールしようとする装置のタイプ、前記Ｗｅｂウィジェットのフレームサイズ、前記フレームサイズに対する変更を設定する情報、前記Ｗｅｂウィジェット名、前記Ｗｅｂウィジェットの状態バーの表示を設定する情報、前記Ｗｅｂウィジェットの状態バーに表示されるロゴイメージ、及び前記ロゴイメージに対応するリンク情報のうち少なくとも一つを含むことを特徴とする請求項２に記載の装置。
【請求項５】
前記Ｗｅｂウィジェット設定情報は、
前記Ｗｅｂウィジェットに対するＷｅｂページ更新リクエストを設定する情報、前記Ｗｅｂウィジェットのキャッシュデータの格納を設定する情報のうち少なくとも一つを含むことを特徴とする請求項２に記載の装置。
【請求項６】
前記Ｗｅｂウィジェット付加情報は、
Ｗｅｂウィジェットに対するアイコン、及びＷｅｂウィジェットに対するスクリーンショットのうち少なくとも一つを含むことを特徴とする請求項２に記載の装置。
【請求項７】
前記Ｗｅｂウィジェットコンテンツ構成情報は、
前記Ｗｅｂウィジェットのフレーム内に出力されるコンテンツに対するアドレス、コンテンツ表示領域に対する設定情報、及びページ切り替え時の効果を設定する情報のうち少なくとも一つを含むことを特徴とする請求項２に記載の装置。
【請求項８】
前記Ｗｅｂウィジェットのフレーム内に出力されるコンテンツに対するプレビュー画面を生成するプレビュー生成部をさらに含み、
前記Ｗｅｂウィジェット製作部は、前記Ｗｅｂウィジェットのフレーム内に出力されるコンテンツに対するアドレス情報が前記コンテンツ提供者装置から受信される場合、前記受信されたアドレス情報に該当するコンテンツに対するプレビュー画面を前記プレビュー生成部からリクエストし、前記プレビュー生成部から受信される前記入力されたアドレスに該当するコンテンツに対するプレビュー画面を前記コンテンツ提供者の装置に転送することを特徴とする請求項１に記載の装置。
【請求項９】
前記Ｗｅｂウィジェット製作部は、
前記プレビュー画面上で予め設定されたサイズに該当する領域に対する選択が受信される場合、前記選択された領域に該当するコンテンツを前記Ｗｅｂウィジェットのフレーム内に出力することを特徴とする請求項８に記載の装置。
【請求項１０】
Ｗｅｂウィジェットを製作するための方法であって、
Ｗｅｂウィジェットを製作するためのＷｅｂウィジェット製作ツールをコンテンツ提供者の装置に提供するステップと、
前記コンテンツ提供者の装置から前記Ｗｅｂウィジェットを製作するために使用されるＷｅｂウィジェット生成情報を受信するステップと、
前記Ｗｅｂウィジェット生成情報に基づいて前記Ｗｅｂウィジェットに対するインストールファイルを生成するステップと、
前記Ｗｅｂウィジェットに対する、生成されたインストールファイルを前記コンテンツ提供者の装置に転送するステップと、
を有することを特徴とする方法。
【請求項１１】
前記Ｗｅｂウィジェット生成情報は、
Ｗｅｂウィジェットフレーム構成情報、Ｗｅｂウィジェット設定情報、Ｗｅｂウィジェット付加情報、及びＷｅｂウィジェットコンテンツ構成情報を含むことを特徴とする請求項１０に記載の方法。
【請求項１２】
前記Ｗｅｂウィジェット製作ツールは、
Ｗｅｂページ形式で構成され、前記Ｗｅｂウィジェットフレーム構成情報、前記Ｗｅｂウィジェット設定情報、前記Ｗｅｂウィジェット付加情報、及び前記Ｗｅｂウィジェットコンテンツ構成情報を入力するための入力ページを含むことを特徴とする請求項１１に記載の方法。
【請求項１３】
前記Ｗｅｂウィジェットフレーム構成情報は、
前記Ｗｅｂウィジェットをインストールしようとする装置のタイプ、前記Ｗｅｂウィジェットのフレームサイズ、前記フレームサイズに対する変更を設定する情報、前記Ｗｅｂウィジェット名、前記Ｗｅｂウィジェットの状態バー表示を設定する情報、前記Ｗｅｂウィジェットの状態バーに表示されるロゴイメージ、及び前記ロゴイメージに対応するリンク情報のうち少なくとも一つを含むことを特徴とする請求項１１に記載の方法。
【請求項１４】
前記Ｗｅｂウィジェットを製作するためのＷｅｂウィジェット製作ツールをコンテンツ提供者の装置に提供するステップは、
前記コンテンツ提供者の装置から前記Ｗｅｂウィジェットのフレーム内に出力されるコンテンツに対するアドレス情報を受信するステップと、
前記受信されたアドレス情報に該当するコンテンツに対するプレビュー画面を生成するステップと、
前記生成されたプレビュー画面を前記コンテンツ提供者の装置に転送するステップと、
を有することを特徴とする請求項１０に記載の方法。
【請求項１５】
前記プレビュー画面上で予め設定されたサイズに該当する領域に対する選択が受信される場合、前記選択された領域に該当するコンテンツを前記Ｗｅｂウィジェットのフレーム内に出力するステップをさらに有することを特徴とする請求項１４に記載の方法。
【発明の詳細な説明】
【技術分野】
【０００１】
本発明はウィジェットＷｅｂを製作するための装置及び方法に関するものであって、特にコンテンツ提供者の装置にＷｅｂサイト形式のウィジェット製作ツールを提供し、ウィジェット製作ツールを通じて入力される情報を用いてＷｅｂウィジェットを製作する装置及び方法に関する。
【背景技術】
【０００２】
一般に、携帯端末機は、モビリティ（移動性、携帯性）を有するので、幅広く使用されている。携帯端末機は、移動通信機能だけでなく多様なユーザー機能をサポートし、ユーザーは、携帯端末機を用いて上述した多様な機能を使用することができる。
【０００３】
このような携帯端末機は、多様なアプリケーションを提供し、このようなアプリケーションは、ネイティブアプリケーションとＷｅｂアプリケーションを含む。ネイティブアプリケーションは、携帯端末機が多様なアプリケーションを提供するコンテンツ提供者サーバからデータをダウンロードして処理し、処理したデータを画面に表示するように構成されたアプリケーションを意味する。Ｗｅｂアプリケーションは、携帯端末機がコンテンツ提供者サーバから受信したＷｅｂページデータをそのまま画面に表示するように構成されたアプリケーションを意味する。最近では、時計、カレンダー、メモ帳、検索、地図、ニュース、及びリアルタイムカメラのようなアプリケーションを別途実行せずに、アプリケーションで提供されるコンテンツにアクセスできるユーザーインターフェース形態のウィジェットが製作されてユーザーに提供される。
【０００４】
コンテンツ提供者は、自身が提供するサービスをこのようなウィジェットとして提供するために、別途のアプリケーション企画者及び開発者を採用し、採用された企画者及び開発者が数日又は数カ月かけてウィジェットを開発及び検証してウィジェットを完成させる。このように完成されたウィジェットは、アプリケーションをユーザーに提供するウィジェット提供サーバに伝送され、ウィジェット提供サーバに格納されたウィジェットは、認証及び検証手続きを経てユーザーに提供される。
【０００５】
上述するように、コンテンツ提供者は、ウィジェットを製作するために企画者及び開発者を採用する。このウィジェットは、ウィジェット開発及び検証を含む長いプロセスを経て完成されたウィジェットをウィジェット提供サーバで認証及び検証手続きがされてユーザーに提供される。
【０００６】
しかしながら、従来の技術では、コンテンツ提供者が既に保有しているＷｅｂサービスの再活用が難しかった。ネイティブウィジェットは、別途の企画、デザイン、及び開発が必要であるため、コンテンツ提供者は、Ｗｅｂサービスとウィジェットサービスを別に開発及び管理しなければならない負担がある。コンテンツ提供者は、Ｗｅｂサービスを再活用するためにＷｅｂアプリケーションを使用できるが、このようなアプリケーション形態のサービスは、ウィジェット形態のサービスに比べてアクセス性が低下する。
さらに、従来の技術ではウィジェットサービスのために、Ｗｅｂサービスとは別にサーバとＡＰＩ(Application  Program  Interface)を構築及び運用しなければならないが、運用対象となるサーバの個数が２個以上である場合、運営及び管理の負担が大きく、２つのサービスの同期をとるのが困難であった。
【０００７】
加えて、ネイティブウィジェットが装置画面の解像度又はランチャ(launcher)の特性に影響を受けるため、ウィジェットを開発する際にウィジェットがインストールされるターゲット装置ごとの互換性をすべて確認しなければならず、互換性を確認するための期間及び費用が多くかかるという問題点があった。
【先行技術文献】
【特許文献】
【０００８】
【特許文献１】韓国特許出願公開第２０１１−０１０３５１６号公報
【発明の概要】
【発明が解決しようとする課題】
【０００９】
したがって、本発明は、上記した従来技術の問題点に鑑みてなされたものであって、その目的は、コンテンツ提供者のＷｅｂサービスを再活用できるＷｅｂウィジェットを容易に製作する装置及び方法を提供することにある。
【課題を解決するための手段】
【００１０】
上記のような目的を達成するために、本発明の一態様によれば、Ｗｅｂウィジェットを製作するための装置が提供される。上記装置は、Ｗｅｂウィジェットを製作するためのＷｅｂウィジェット製作ツールをコンテンツ提供者の装置に提供し、コンテンツ提供者の装置からＷｅｂウィジェットの製作に使用されるＷｅｂウィジェット生成情報を受信するＷｅｂウィジェット製作部と、Ｗｅｂウィジェット製作部からＷｅｂウィジェット生成情報を受信し、Ｗｅｂウィジェット生成情報に基づいてＷｅｂウィジェットに対するインストールファイルを生成するＷｅｂウィジェットインストールファイル生成部を含み、Ｗｅｂウィジェット製作部は、生成されたＷｅｂウィジェットに対するインストールファイルをコンテンツ提供者の装置に転送する。
【００１１】
本発明の他の態様によれば、Ｗｅｂウィジェットを製作するための方法が提供される。上記方法は、Ｗｅｂウィジェットを製作するためのＷｅｂウィジェット製作ツールをコンテンツ提供者の装置に提供するステップと、コンテンツ提供者の装置からＷｅｂウィジェットを製作するために使用されるＷｅｂウィジェット生成情報を受信するステップと、Ｗｅｂウィジェット生成情報に基づいてＷｅｂウィジェットに対するインストールファイルを生成するステップと、生成されたＷｅｂウィジェットに対するインストールファイルをコンテンツ提供者の装置に転送するステップとを有する。
【００１２】
本発明の他の態様、特徴、及び利点は、添付の図面と共に述べる以下の詳細な説明から、一層明らかになるはずである。
【発明の効果】
【００１３】
本発明は、コンテンツ提供者が、別途の開発者又は企画者、あるいは複雑なクライアント開発ツールなしに、迅速で容易にＷｅｂウィジェットを開発できるようにする。したがって、本発明は、コンテンツ提供者のサービスの配信に有利である。さらに、本発明は、開発が容易な複数のＷｅｂウィジェットを確保してユーザーが多く使用するウィジェットコンテンツに対するアクセス性を向上させて、ユーザーの利便性を向上させることができる。
【図面の簡単な説明】
【００１４】
【図１】本発明の実施形態によるＷｅｂウィジェット製作システムを示すブロック構成図である。
【図２】本発明の実施形態によるＷｅｂウィジェット製作サーバ装置を示すブロック構成図である。
【図３】本発明の実施形態により、Ｗｅｂウィジェット製作サーバ装置がＷｅｂウィジェットを製作するプロセスを示すフローチャートである。
【図４】本発明の実施形態により、Ｗｅｂウィジェット製作のためのＷｅｂページ形式のＷｅｂウィジェット製作ツールに対する例示図である。
【図５】本発明の実施形態により、Ｗｅｂウィジェット製作のためのＷｅｂページ形式のＷｅｂウィジェット製作ツールに対する例示図である。
【図６】本発明の実施形態により、Ｗｅｂウィジェット製作のためのＷｅｂページ形式のＷｅｂウィジェット製作ツールに対する例示図である。
【図７】本発明の実施形態により、Ｗｅｂウィジェット製作のためのＷｅｂページ形式のＷｅｂウィジェット製作ツールに対する例示図である。
【図８Ａ】本発明の実施形態により、Ｗｅｂウィジェット製作のためのＷｅｂページ形式のＷｅｂウィジェット製作ツールに対する例示図である。
【図８Ｂ】本発明の実施形態により、Ｗｅｂウィジェット製作のためのＷｅｂページ形式のＷｅｂウィジェット製作ツールに対する例示図である。
【図８Ｃ】本発明の実施形態により、Ｗｅｂウィジェット製作のためのＷｅｂページ形式のＷｅｂウィジェット製作ツールに対する例示図である。
【図８Ｄ】本発明の実施形態により、Ｗｅｂウィジェット製作のためのＷｅｂページ形式のＷｅｂウィジェット製作ツールに対する例示図である。
【図８Ｅ】本発明の実施形態により、Ｗｅｂウィジェット製作のためのＷｅｂページ形式のＷｅｂウィジェット製作ツールに対する例示図である。
【図９】本発明の実施形態により、Ｗｅｂウィジェット製作のためのＷｅｂページ形式のＷｅｂウィジェット製作ツールに対する例示図である。
【図１０】本発明の実施形態により、Ｗｅｂウィジェット製作のためのＷｅｂページ形式のＷｅｂウィジェット製作ツールに対する例示図である。
【発明を実施するための形態】
【００１５】
以下、本発明の望ましい実施形態を添付の図面を参照して詳細に説明する。
【００１６】
以下の説明は、本発明の多様な実施形態に対する理解を助けるための特定の詳細を含む。しかし、これらの詳細は、単に例示的なものと考えられるべきである。よって、本発明の範囲及び精神を逸脱することなく、以下に説明される本発明の様々な変形及び変更が可能であることは、当該技術分野における通常の知識を持つ者には明らかであろう。なお、公知の機能または構成に関する具体的な説明は、明瞭性と簡潔性のために省略する。
【００１７】
本願明細書に記載の各要素は、文脈中に特に明示しない限り、複数形を含むことは、当業者には理解できるものである。したがって、例えば、コンポーネント表面（a component surface）”との記載は、１つ又は複数の表面を含む。
【００１８】
‘第１’、‘第２’のように序数を含む用語は、多様な構成要素を説明するために使用されるが、構成要素は、上記用語により限定されない。これらの用語は、一つの構成要素を他の構成要素から区別する目的のみで使われる。例えば、本発明の権利範囲を外れることなく、第１の構成要素は第２の構成要素と称され、同様に第２の構成要素も第１の構成要素と称され得る。用語‘及び／又は’は、複数の関連した記載項目の組合せ又は複数の関連した記載項目のうち何れかの項目を含む。
【００１９】
図１は、本発明の実施形態によるＷｅｂウィジェット製作システムを示すブロック構成図である。
【００２０】
本発明のＷｅｂウィジェット製作システムは、コンテンツ提供者の装置１０、Ｗｅｂウィジェット製作サーバ２０、Ｗｅｂウィジェット提供サーバ３０、及びユーザーの装置４０を含む。ここで、Ｗｅｂウィジェットは、共通ウィジェットの全体フレーム領域内にＷｅｂブラウザのコンテンツデータを出力するウィジェットを意味する。
【００２１】
コンテンツ提供者の装置１０は、Ｗｅｂウィジェットを製作するために提供されるＷｅｂウィジェット製作ツールをＷｅｂウィジェット製作サーバから受信し、受信されたＷｅｂウィジェット製作ツールを用いて入力されるＷｅｂウィジェット生成情報をＷｅｂウィジェット製作サーバ２０に転送する。
【００２２】
Ｗｅｂウィジェット製作サーバ２０は、Ｗｅｂウィジェットを製作するために提供されるＷｅｂウィジェット製作ツールをコンテンツ提供者の装置１０に転送する。また、Ｗｅｂウィジェット製作サーバ２０は、コンテンツ提供者の装置から受信されたＷｅｂウィジェット生成情報を用いてＷｅｂウィジェットインストールファイルを生成し、生成されたＷｅｂウィジェットインストールファイルをコンテンツ提供者の装置１０又はＷｅｂウィジェット提供サーバ３０に転送する。
【００２３】
Ｗｅｂウィジェット提供サーバ３０は、受信されたＷｅｂウィジェットインストールファイルをユーザーの装置４０に転送する。
【００２４】
ユーザーの装置４０は、受信されたＷｅｂウィジェットインストールファイルをインストールしてＷｅｂウィジェットを画面に出力する。
【００２５】
図２は、本発明の実施形態によるＷｅｂウィジェット製作サーバを示すブロック構成図である。
【００２６】
本発明のＷｅｂウィジェット製作サーバ２０は、Ｗｅｂウィジェット製作部２１、プレビュー生成部２２、Ｗｅｂウィジェットインストールファイル生成部２３、及び格納部２４を含む。このようなＷｅｂウィジェット製作サーバ２０は、装置で構成される。
【００２７】
Ｗｅｂウィジェット製作部２１は、Ｗｅｂウィジェットを生成するために必要な情報を獲得するために、Ｗｅｂウィジェット製作ツールをコンテンツ提供者の装置に提供し、コンテンツ提供者の装置から受信されたＷｅｂウィジェット生成情報を用いてＷｅｂウィジェットを生成する。
【００２８】
ここで、Ｗｅｂウィジェット生成情報は、Ｗｅｂウィジェットフレーム構成情報、Ｗｅｂウィジェット設定情報、Ｗｅｂウィジェット付加情報、及びＷｅｂウィジェットコンテンツ構成情報を含む。
【００２９】
Ｗｅｂウィジェットフレーム構成情報は、Ｗｅｂウィジェットをインストールしようとする装置のタイプ、Ｗｅｂウィジェットのフレームサイズ、フレームサイズに対する変更を設定する情報、Ｗｅｂウィジェット名、Ｗｅｂウィジェットの状態バー表示を設定する情報、Ｗｅｂウィジェットの状態バーに表示されるロゴイメージ、及びロゴイメージに対応するリンク情報を含む。
【００３０】
Ｗｅｂウィジェット設定情報は、Ｗｅｂウィジェットに対するＷｅｂページ更新リクエストを設定する情報、及びＷｅｂウィジェットのキャッシュ(cache)データの格納を設定する情報を含む。
【００３１】
Ｗｅｂウィジェット付加情報は、Ｗｅｂウィジェットに対するアイコン、Ｗｅｂウィジェットに対するスクリーンショットを含む。
【００３２】
Ｗｅｂウィジェットコンテンツ構成情報は、Ｗｅｂウィジェットフレーム内に出力されるコンテンツに対するアドレス、コンテンツ表示領域に関する設定情報、及びページ切り替え時の効果を設定する情報を含む。
【００３３】
Ｗｅｂウィジェット製作部２１で提供するＷｅｂウィジェット製作ツールは、Ｗｅｂページ形態で構成され、Ｗｅｂウィジェットフレーム構成情報、Ｗｅｂウィジェット設定情報、Ｗｅｂウィジェット付加情報、及びＷｅｂウィジェットコンテンツ構成情報を入力するための入力ページを含む。また、Ｗｅｂウィジェット製作ツールは、各情報が反映されるＷｅｂウィジェットの形態をプレビューするためのＷｅｂウィジェットプレビュー画面を表示するように構成できる。さらに、Ｗｅｂウィジェット製作ツールは、Ｗｅｂウィジェットフレーム内に出力されるコンテンツデータに対するプレビュー画面を表示するように構成してもよい。
【００３４】
より具体的には、Ｗｅｂウィジェット製作部２１は、Ｗｅｂウィジェット生成情報を受信するために予め製作されたＷｅｂページ形式のＷｅｂウィジェット生成ツールをコンテンツ提供者の装置１０に提供し、このようなＷｅｂウィジェット生成ツールを受信するコンテンツ提供者の装置１０は、Ｗｅｂページ形式のＷｅｂウィジェット生成ツールを画面に表示する。Ｗｅｂウィジェットのフレームを構成するためのＷｅｂウィジェットフレーム設定情報、Ｗｅｂウィジェットコンテンツを構成するためのＷｅｂウィジェットコンテンツ構成情報、Ｗｅｂウィジェット設定情報、及びＷｅｂウィジェット付加情報を含むＷｅｂウィジェット生成情報が、コンテンツ製作者により画面に表示されたＷｅｂウィジェット生成ツールを用いて入力される場合、コンテンツ提供者の装置１０は、入力されたＷｅｂウィジェット生成情報をＷｅｂウィジェット製作部２１に転送する。
【００３５】
例えば、Ｗｅｂウィジェット製作部２１は、Ｗｅｂウィジェットフレーム内に出力されるコンテンツ領域を設定するための入力が受信される場合、プレビュー生成部２２からＷｅｂウィジェットフレーム内に出力できるコンテンツプレビューデータを受信してコンテンツ提供者の装置１０に転送する。その後、コンテンツ提供者の装置１０からＷｅｂウィジェットフレーム内に出力しようとするコンテンツ領域に対する選択入力が受信される場合、Ｗｅｂウィジェット製作部２１は、選択されたコンテンツ領域に対応するコンテンツデータがＷｅｂウィジェットフレーム内に出力されるようにＷｅｂウィジェットを製作できる。ここで、コンテンツデータは、Ｗｅｂウィジェットフレーム内に出力されるように構成されたＷｅｂページを含む。
【００３６】
本発明のプレビュー生成部２２は、Ｗｅｂウィジェット上に表示できるコンテンツプレビューデータを生成してＷｅｂウィジェット製作部２１に転送する。
【００３７】
Ｗｅｂウィジェットインストールファイル生成部２３は、Ｗｅｂウィジェット製作部２１で生成されたＷｅｂウィジェットに対して装置にインストール可能なＷｅｂウィジェットインストールファイルを生成する。
【００３８】
格納部２４は、コンテンツ提供者の装置１０から受信されたＷｅｂウィジェット生成情報を格納する。
【００３９】
図３は、本発明の実施形態により、Ｗｅｂウィジェット製作サーバ装置がＷｅｂウィジェットを製作するプロセスを示すフローチャートである。
【００４０】
ステップ３００において、Ｗｅｂウィジェット製作部２１は、Ｗｅｂウィジェット製作ツールをコンテンツ提供者の装置１０に提供する。例えば、Ｗｅｂウィジェット製作部２１は、Ｗｅｂページ形式のＷｅｂウィジェット製作ツールをコンテンツ提供者の装置１０に転送し、コンテンツ提供者の装置１０が受信されたＷｅｂウィジェット製作ツールを画面に出力する。
【００４１】
ステップ３１０において、Ｗｅｂウィジェット製作部２１は、Ｗｅｂウィジェット製作ツールを通してコンテンツ提供者の装置１０からＷｅｂウィジェット生成情報を受信する。受信されたＷｅｂウィジェット生成情報は、格納部２４に格納される。Ｗｅｂウィジェット製作部２１は、リクエストに応じてＷｅｂウィジェットフレームの内部に出力されるコンテンツプレビューデータをコンテンツ提供者の装置１０に転送し、あるいは選択されたコンテンツ領域に対応するコンテンツデータをコンテンツ提供者の装置１０に転送することができる。
【００４２】
ステップ３２０において、Ｗｅｂウィジェットインストールファイル生成部２３は、受信されたＷｅｂウィジェット生成情報に基づいてＷｅｂウィジェットに対するインストールファイルを生成してＷｅｂウィジェット製作部２３に転送する。例えば、生成されたインストールファイルは、ＡＰＫ(Application  PacKage)ファイルのように装置にインストール可能なアプリケーションプログラムファイルであり得る。
【００４３】
ステップ３３０において、Ｗｅｂウィジェット製作部２１は、生成されたインストールファイルをコンテンツ提供者の装置１０に提供する。具体的に説明すれば、Ｗｅｂウィジェット製作部２１は、コンテンツ提供者の装置１０が生成されたＷｅｂウィジェットをインストールするためにインストールファイルをコンテンツ提供者の装置１０に転送できる。また、Ｗｅｂウィジェット製作部２１は、Ｗｅｂウィジェットを提供するＷｅｂウィジェット提供サーバ３０に転送するためにインストールファイルをコンテンツ提供者の装置１０に転送できる。さらに、Ｗｅｂウィジェット製作部２１は、生成されたＷｅｂウィジェットインストールファイルをＷｅｂウィジェット提供サーバ３０に直ちに転送することができる。
【００４４】
図４〜図１０は、本発明の実施形態により、Ｗｅｂウィジェットを製作するためのＷｅｂページ形式のＷｅｂウィジェット製作ツールに対する例示図である。
【００４５】
本発明による図４〜図１０は、コンテンツ提供者の装置１０に受信されたＷｅｂウィジェット製作ツールを画面に表示することを示す。表示されたＷｅｂウィジェット製作ツールの画面は、本発明の実施形態に限定されるものではなく、多様に構成することができる。
【００４６】
図４は、本発明の実施形態により、少なくとも一つのコンテンツ提供者により生成されるＷｅｂウィジェットに対するリストを表すＷｅｂウィジェットリスト領域及びＷｅｂウィジェットのうち希望するＷｅｂウィジェットを検索するための検索領域を含む画面の例示図である。図４に示す画面は、一つ以上のＷｅｂウィジェットリスト領域４００、特定キーワードに対応するＷｅｂウィジェットを検索するための検索領域４０１、及び全体Ｗｅｂウィジェットリストを表示するためのキー領域４０２を含む。
【００４７】
図５は、本発明の実施形態により、Ｗｅｂウィジェット製作のためにＷｅｂウィジェットフレーム構成情報及びＷｅｂウィジェット付加情報を入力するために構成される画面の例示図を示す。
【００４８】
図５に示す画面は、Ｗｅｂウィジェットがインストールされるターゲット装置のタイプを設定する領域５００、Ｗｅｂウィジェットのフレームサイズを設定する領域５０１、設定されたフレームサイズに対する再設定が可能であるか否かを設定する領域５０２、Ｗｅｂウィジェットの名称を設定する領域５０３、Ｗｅｂウィジェットに関する説明を入力する領域５０４、次の設定画面を表示するためのキー領域５０５、及び製作されるＷｅｂウィジェットに対するプレビューを表示する領域５０７を含む。
【００４９】
Ｗｅｂウィジェット製作部２１は、Ｗｅｂウィジェットがインストールされるターゲット装置のタイプを設定する領域５００で電話(phone)とタブレット(tablet)のうちいずれか一つを選べるようにする。電話とタブレットは画面上で異なるグリッドサイズ(grid  size)を有するため、画面上に配置されるＷｅｂウィジェットのサイズは、グリッド単位で決定されてもよい。
【００５０】
Ｗｅｂウィジェット製作部２１は、Ｗｅｂウィジェットのフレームサイズを設定する領域５０１でＷｅｂウィジェットの基本サイズを設定可能にする。例えば、Ｗｅｂウィジェットの基本サイズは、４×１、４×２、４×３、４×４のように縦及び横のサイズを画面比率に従って設定し、画面上に表示可能なサイズ内でカスタムサイズ(custom  size)を設定することができる。本発明で説明するＷｅｂウィジェットのフレームサイズは、上記の内容に限定されるものでなく、多様なサイズに設定可能である。
【００５１】
Ｗｅｂウィジェット製作部２１は、設定されたフレームサイズに対する再設定が可能であるか否かを設定する領域５０２で、ウィジェットサイズが再設定するかあるいは固定するか(再設定不可能であるか)を設定可能にする。特に、Ｗｅｂウィジェット製作部２１は、設定されたフレームサイズに対するリサイズが可能であるか否かを設定する領域５０２で、横及び縦のサイズとも再設定可能(Both  Resizable)、横サイズのみ再設定可能(Horizontal  Resizable)、縦サイズのみ再設定可能(Vertical  Resizable)、横及び縦のサイズとも固定、すなわち再設定不可能(Both  Fixed)のうちいずれか一つに設定することができる。
【００５２】
Ｗｅｂウィジェット製作部２１は、Ｗｅｂウィジェットの名称を設定する領域５０３でＷｅｂウィジェット名を設定するようにし、設定されたＷｅｂウィジェット名はＷｅｂウィジェットリストに含まれてもよい。また、設定されたＷｅｂウィジェット名は、図６の参照番号６００，６０１，６０２のように装置の画面上に表示されてもよい。
【００５３】
Ｗｅｂウィジェット製作部２１は、Ｗｅｂウィジェットに対する説明を入力する領域５０４でＷｅｂウィジェットに対する説明を入力するようにする。
【００５４】
次の設定画面を表示するためのキー領域５０５が選択される場合、Ｗｅｂウィジェット製作部２１は、上記した領域に対する設定/オプションが完了した後、Ｗｅｂウィジェットの他の設定/オプションに対する画面を表示するようにする。各領域に対する設定/オプションが完了しない場合には、該当キー領域５０５が活性化されないようにする。
【００５５】
製作されるＷｅｂウィジェットに対するプレビューデータを表示するＷｅｂウィジェットプレビュー領域５０７で、Ｗｅｂウィジェット製作部２１は、各領域で設定されたＷｅｂウィジェットに対するプレビューデータを出力し、それによってコンテンツ製作者は、製作しようとするＷｅｂウィジェットに対するプレビューを実行できる。
【００５６】
図７は、本発明の実施形態により、Ｗｅｂウィジェット製作のためにＷｅｂウィジェットフレーム構成情報及びＷｅｂウィジェット設定情報を入力するために構成される画面の例示図である。
【００５７】
図７に示す画面７０２は、Ｗｅｂウィジェットの状態バーに表示されるロゴイメージのリンクを入力する領域７００、Ｗｅｂウィジェットの状態に表示されるロゴイメージをアップロードする領域７０１、Ｗｅｂウィジェットのコンテンツデータ更新のための時間周期を設定する領域７０３、キャッシュデータの格納を設定する領域７０４、前の設定画面を表示するためのキー領域７０５、及び次の設定画面を表示するためのキー領域７０６を含む。
【００５８】
Ｗｅｂウィジェット製作部２１は、Ｗｅｂウィジェットの状態バーに表示されるロゴイメージのリンクを入力する領域７００でコンテンツ提供者が提供するＷｅｂページのＵＲＬ(Uniform Resource Locater)アドレスを入力可能にする。このように入力されたＵＲＬアドレスは、Ｗｅｂウィジェットの状態バーに表示されるロゴイメージに対する選択入力が行われる場合、ロゴイメージに対応するＷｅｂページを出力するために使用される。
【００５９】
Ｗｅｂウィジェット製作部２１は、Ｗｅｂウィジェットの状態に表示されるロゴイメージをアップロードする領域７０１で、コンテンツ提供者が提供するＷｅｂページのロゴイメージを登録させることができる。登録されたロゴイメージは、Ｗｅｂウィジェットの状態バーに所定サイズで表示することができる。
【００６０】
Ｗｅｂウィジェット製作部２１は、Ｗｅｂウィジェットのコンテンツデータの更新のための時間周期を設定する領域７０３で、３時間、６時間、１２時間、２４時間、４８時間のようにＷｅｂウィジェットのコンテンツデータを更新するための時間周期を設定することができる。このような時間周期は、最大設定可能な時間内では任意の時間に設定可能である。本発明において、Ｗｅｂウィジェットが出力するコンテンツデータがＷｅｂページに対応するため、このコンテンツデータを更新するためにＷｅｂウィジェットに対する更新を行わなければならない。例えば、天気に対するＷｅｂウィジェットが最新コンテンツデータを出力しなければならないため、該当Ｗｅｂウィジェットに対する更新が必要である。
Ｗｅｂウィジェット製作部２１は、キャッシュデータに対する格納を設定する領域７０４で、Ｗｅｂウィジェットフレーム内に出力されるＷｅｂページに対するキャッシュデータが格納されるか否かを設定できる。また、Ｗｅｂウィジェット製作部２１は、この領域７０４でキャッシュデータを格納する場合、キャッシュデータ格納容量を設定し、メインキャッシュデータ以外にサブキャッシュデータを格納するように設定できる。例えば、Ｗｅｂウィジェットフレーム内に出力されるメインＷｅｂページが“ｍ.ｎａｖｅｒ.ｃｏｍ”であるケースで、サブＷｅｂページが“ｍ.ｎｅｗｓ．ｎａｖｅｒ.ｃｏｍ”に設定される場合、Ｗｅｂウィジェット製作部２１は、“ｍ.ｎａｖｅｒ.ｃｏｍ.”に対するキャッシュデータと“ｍ.ｎｅｗｓ.ｎａｖｅｒ.ｃｏｍ”に対するキャッシュデータを共に格納するようにする。上記のようにキャッシュデータが格納される場合、装置は、ネットワークが切断される場合でも、Ｗｅｂウィジェットフレーム内でメインＷｅｂページとサブＷｅｂページを出力できる。
【００６１】
前の設定画面を表示するためのキー領域７０５が選択される場合、Ｗｅｂウィジェット製作部２１は、図５に示した設定画面を表示可能である。次の設定画面を表示するためのキー領域７０６が選択される場合、Ｗｅｂウィジェット製作部２１は、上述した領域に対する設定が完了した後にＷｅｂウィジェットの他の設定に対する画面を表示するようにする。
【００６２】
図８Ａ〜図８Ｅは、本発明の実施形態により、Ｗｅｂウィジェットフレーム構成情報、Ｗｅｂウィジェットコンテンツ構成情報、及びＷｅｂウィジェット付加情報をＷｅｂウィジェット製作のために入力するために構成される画面の例示図である。
【００６３】
図８Ａに示す画面は、Ｗｅｂウィジェットフレーム内に出力されるコンテンツデータに対するアドレスを入力する領域８００、状態バーに対する表示を設定する領域８０１、状態バーに対する表示タイプを設定する領域８０２、Ｗｅｂウィジェットフレーム内のＷｅｂページ切り替え時の効果タイプを設定する領域８０３、Ｗｅｂページの最後ページから最初ページへ移動して表示するように設定する領域８０４、Ｗｅｂウィジェットのアイコンイメージを設定する領域８０５、Ｗｅｂウィジェットのスクリーンショットを設定する領域８０６、及びＡＰＫファイルを生成するための領域８０７を含む。
【００６４】
Ｗｅｂウィジェット製作部２１は、Ｗｅｂウィジェットフレーム内に出力されるコンテンツデータに対するアドレスを入力する領域８００で、Ｗｅｂウィジェットフレーム内に出力されるＷｅｂページに対するアドレスを入力することによって、Ｗｅｂウィジェットフレーム内に入力されたアドレスに該当するＷｅｂページデータを出力させることができる。以後、これについて、図８Ｂを参照してより詳細に説明する。
【００６５】
図８Ｂは、本発明の実施形態により、アドレス入力によってＷｅｂウィジェットフレーム内に出力しようとするコンテンツ領域を設定するための画面の例示図である。
【００６６】
図８Ｂに示す画面は、参照番号８１０で表すＷｅｂウィジェットフレーム内に出力されるＷｅｂページに対するアドレスが入力される場合、入力アドレスに該当するＷｅｂページ全体を出力するように設定するための設定領域８１１と、入力アドレスに該当するＷｅｂページのうち選択された領域を出力するように設定するための設定領域８１２を含む。
【００６７】
コンテンツデータ全体を出力するように設定され、あるいはＷｅｂページのうち選択された領域を出力するように設定された場合について、図８Ｃ〜図８Ｅを例にして説明する。
【００６８】
図８Ｃは、本発明の実施形態により、Ｗｅｂページ全体を出力するように設定した場合、Ｗｅｂウィジェットプレビュー領域に対する例示図を示す。
【００６９】
図８Ｃにおいて、参照番号８２０のように、Ｗｅｂページ全体を出力するように設定される場合、Ｗｅｂウィジェット製作部２１は、Ｗｅｂウィジェットプレビュー領域８２１にコンテンツデータ全体を出力させることができる。例えば、Ｗｅｂページアドレスが“ｈｔｔｐ://ｍ.ｎａｖｅｒ.ｃｏｍ”に設定された場合、Ｗｅｂウィジェット製作部２１は、ウィジェットプレビュー領域８２１にＮａｖｅｒモバイルＷｅｂサイトのメインページ全体を出力できる。
【００７０】
図８Ｄは、本発明の実施形態により、選択された領域内のコンテンツデータを出力するように設定した場合にＷｅｂウィジェットプレビュー領域に対する例示図である。
【００７１】
図８Ｄの参照番号８３０で表すように、入力されたアドレスに該当する全体Ｗｅｂページ画面のうち、Ｗｅｂウィジェットフレーム内に出力しようとするコンテンツ領域を設定するための入力がされる場合、Ｗｅｂウィジェット製作部２１は、設定可能な全体Ｗｅｂページのプレビュー画面８３１を出力する。このとき、Ｗｅｂウィジェット製作部２１は、設定可能な全体Ｗｅｂページのプレビュー画面をリクエストするためのリクエストメッセージをプレビュー生成部２２に転送する。このようなリクエストメッセージは、プレビュー画面に設定するＷｅｂサイトのアドレス、プレビュー画面のサイズ、及びプレビュー画面のファイル名を含む。リクエストメッセージを受信したプレビュー生成部２２は、リクエストメッセージに含まれた情報を用いてプレビュー画面を生成した後に、生成されたプレビュー画面をＷｅｂウィジェット製作部２１に転送する。
【００７２】
Ｗｅｂウィジェット製作部２１は、プレビュー画面内で選択されたコンテンツ領域８３２と選択されない他の領域が区分されるように表示できる。また、Ｗｅｂウィジェット製作部２１は、該当プレビュー画面８３１を別途のポップアップウィンドウを用いて出力することができる。
【００７３】
出力しようとするコンテンツ領域８３２の選択が完了する場合、Ｗｅｂウィジェット製作部２１は、Ｗｅｂウィジェットフレーム内に選択されたコンテンツ領域に該当するＷｅｂページ画面を出力する。言い換えれば、図８Ｅに参照番号８４０で表すようにコンテンツ領域を選択するための入力に応じて、Ｗｅｂウィジェット製作部２１は、選択されたコンテンツ領域に該当するＷｅｂページ画面８４１を出力する。
【００７４】
Ｗｅｂウィジェット製作部２１は、状態バーに対する表示を設定する領域８０１で状態バーを表示するか否かを設定させる。状態バーが表示されない場合、Ｗｅｂウィジェット製作部２１は、Ｗｅｂウィジェット設定を変更するためのキー領域及びデータ更新要請のためのキー領域も共に表示しない。
【００７５】
Ｗｅｂウィジェット製作部２１は、状態バーに対する表示タイプを設定する領域８０２で、状態バーの表示タイプを設定することができる。例えば、Ｗｅｂウィジェット製作部２１は、状態バーを不透明、半透明、又は透明状態に設定できる。
【００７６】
Ｗｅｂウィジェットに表示しようとするコンテンツ画面のサイズがＷｅｂウィジェットフレームのサイズより大きい場合、コンテンツ画面は、スクロールされるように設定でき、Ｗｅｂウィジェット製作部２１は、Ｗｅｂウィジェットフレーム内のＷｅｂページが切り替えられる場合に効果タイプを設定する領域８０３で、このようなスクロールによるＷｅｂページ切り替え時の効果タイプを設定可能にする。Ｗｅｂウィジェット製作部２１は、Ｗｅｂウィジェットフレーム内で一つの画面に見えるサイズだけを１ページに設定し、設定されたページ単位で移動しつつ設定された効果を出力するようにする。例えば、効果タイプは、カレンダーをめくるようにページがめくる効果を有するフリップページ(Flip  page)タイプ、ページが紙を持ち上げてめくるように移動する効果を有する移動ページ(Move  page)タイプ、フリップボード(Flip  board）のページ移動と同一の効果を有するハーフフリップ(Flip  in  half)タイプ、ページが３Ｄ(Dimensional)キューブが転がるように移動する効果を有するフリップキューブボックス(Flip  cube  box)タイプ、現在ページと次のページが相互にフェードイン及びフェードアウトして移動する効果を有するディゾルブタイプ、及び効果タイプを設定しないノン(None)タイプを含む。効果タイプを設定しない場合、Ｗｅｂウィジェット製作部２１は、一般的なＷｅｂブラウザのスクロールのように設定されるようにする。
【００７７】
Ｗｅｂページの最後ページから最初ページに移動して表示するように設定する領域８０４で、Ｗｅｂウィジェット製作部２１は、最後のページからもう一度次のページに移動する場合、Ｗｅｂウィジェットの最初ページに移動するか否かを設定するようにする。このような領域８０４は、Ｗｅｂページ切り替え時に効果タイプを設定する場合に設定し、使用しない場合には最後のページでこれ以上移動しないようにする。
【００７８】
Ｗｅｂウィジェット製作部２１は、Ｗｅｂウィジェットのアイコンイメージを設定する領域８０５で、Ｗｅｂウィジェットのアイコンイメージを設定可能にする。
【００７９】
Ｗｅｂウィジェット製作部２１は、Ｗｅｂウィジェットのスクリーンショットを設定する領域８０６で、Ｗｅｂウィジェットのスクリーンショットを設定するようにする。
【００８０】
上記したように設定されたＷｅｂウィジェットのアイコンイメージは、図６の参照番号６０３，６０４のように示され、設定されたＷｅｂウィジェットのスクリーンショットイメージは、図６の参照番号６０５，６０６のように示され得る。
【００８１】
Ｗｅｂウィジェットインストールファイルを生成するためのキー領域８０７が選択される場合、Ｗｅｂウィジェット製作部２１は、上記で設定された情報をＷｅｂウィジェットインストールファイル生成部２３に転送する。
Ｗｅｂウィジェットインストールファイル生成部２３は、予め用意したＷｅｂウィジェットテンプレートと受信された情報を組み合わせてＷｅｂウィジェットインストールファイルを生成し、生成されたＷｅｂウィジェットインストールファイルをＷｅｂウィジェット製作部２１に転送する。例えば、Ｗｅｂウィジェットインストールファイル生成部２３は、予め用意したＷｅｂウィジェットＡＰＫテンプレートを受信された情報と組み合わせてＷｅｂウィジェットＡＰＫファイルを生成し、生成されたＷｅｂウィジェットＡＰＫファイルをＷｅｂウィジェット製作部２１に転送する。
【００８２】
具体的に説明すれば、Ｗｅｂウィジェット製作部２１は、Ｗｅｂウィジェットインストールファイルに対する生成をリクエストするためのリクエストメッセージにＷｅｂウィジェット生成ツールを通じて入力されるＷｅｂウィジェット生成情報を含めてＷｅｂウィジェットインストールファイル生成部２３に転送する。このようなインストールメッセージは、Ｗｅｂウィジェットを管理するための固有のシーケンス、及び装置内の各ウィジェットに対する固有性を認識するための識別子をさらに含むことができる。
【００８３】
また、Ｗｅｂウィジェットインストールファイル生成部２３は、生成されたＷｅｂウィジェットＡＰＫバイナリを含む応答メッセージをＷｅｂウィジェット製作部２１に転送する。このような応答メッセージは、生成されたＷｅｂウィジェットＡＰＫファイルの位置、ファイル名、及びバージョン情報を含むことができる。
【００８４】
図９は、本発明の実施形態により、生成されたＷｅｂウィジェットに対するインストールファイルをダウンロード又はＷｅｂウィジェット提供サーバに転送するための画面例示図である。
【００８５】
図９に示す画面は、生成されたＷｅｂウィジェットインストールファイルをダウンロードするためのキー領域９００、生成されたＷｅｂウィジェットインストールファイルを電子メールで伝送するためのキー領域９０１、及び生成されたＷｅｂウィジェットインストールファイルをＷｅｂウィジェット提供サーバに転送するためのキー領域９０２を含む。
【００８６】
生成されたＷｅｂウィジェットインストールファイルをダウンロードするためのキー領域９００が選択される場合、Ｗｅｂウィジェット製作部２１は、生成されたＷｅｂウィジェットインストールファイルをコンテンツ提供者の装置に転送する。
【００８７】
生成されたＷｅｂウィジェットインストールファイルを電子メールで伝送するためのキー領域９０１が選択される場合、Ｗｅｂウィジェット製作部２１は、コンテンツ提供者により入力された電子メールアドレスに生成されたＷｅｂウィジェットインストールファイルを転送する。
【００８８】
生成されたＷｅｂウィジェットインストールファイルをＷｅｂウィジェット提供サーバ３０に転送するためのキー領域９０２が選択される場合、Ｗｅｂウィジェット製作部２１は、生成されたＷｅｂウィジェットインストールファイルをＷｅｂウィジェット提供サーバ３０に転送する。
【００８９】
図１０は、本発明の実施形態により、コンテンツ提供者により製作されたＷｅｂウィジェットインストールファイルをＷｅｂウィジェット提供サーバに転送するための設定画面の例示図である。
【００９０】
図１０に示すように画面を通じて、コンテンツ提供者は、別途にＷｅｂウィジェット提供サーバ３０に接続するための動作を行わず、Ｗｅｂウィジェット提供サーバ３０に直接転送するための説明(description)画面を通じて生成されたＷｅｂウィジェットインストールファイルをアプリケーションマーケットに登録することができる。
【００９１】
本発明において、Ｗｅｂウィジェット製作サーバ２０は、Ｗｅｂウィジェット製作部２１、プレビュー生成部２２、Ｗｅｂウィジェットインストールファイル生成部２３、及び格納部２４を含むことを説明したが、Ｗｅｂウィジェット製作部２１、プレビュー生成部２２、Ｗｅｂウィジェットインストールファイル生成部２３、及び格納部２４は、別個の装置として構成されてもよい。
【００９２】
また、本発明ではプレビュー生成部２２がプレビュー画面を生成することについて説明したが、Ｗｅｂウィジェット製作部２１は、他の実施形態により、プレビュー生成部２２なしに該当動作を実行してもよい。
【００９３】
本発明の実施形態では、ハードウェア、ソフトウェア、又はハードウェア及びソフトウェアの組み合わせの形態で実現可能であることがわかる。このような任意のソフトウェアは、例えば、削除可能又は再記録可能に関係なく、ＲＯＭ(Read-Only Memory)、ＲＡＭ(Random-Access Memory)、メモリチップ装置、及び集積回路のようなメモリ、ＣＤ(Compact Disc)、ＤＶＤ(Digital Versatile Disc)、磁気ディスク、及び磁気テープのような光学又は磁気的に記録可能であり、かつ機械(例えば、コンピュータ)で読み取り可能な記録媒体に格納することができる。本発明のＷｅｂウィジェット製作方法は、制御部及びメモリを含むコンピュータ又は携帯端末により実現することができ、メモリは、本発明の実施形態を実現する指示を含むプログラム又はプログラムを格納するのに適合した機械読み取り可能な格納媒体の一例であることがわかる。したがって、本発明は、本明細書の任意の請求項に記載された装置又は方法を実現するためのコードを含むプログラム及びこのようなプログラムを格納する機械(コンピュータなど)で読み取り可能な格納媒体を含む。また、このようなプログラムは、有線又は無線接続を通じて転送される通信信号のような任意の媒体を介して電子的に移送でき、本発明はこれと均等なものを適切に包含する。
【００９４】
また、Ｗｅｂウィジェット製作装置は、有線又は無線で接続されるプログラム提供装置からプログラムを受信して格納することができる。プログラム提供装置は、Ｗｅｂウィジェット製作装置が予め設定されたコンテンツ保護方法を実行するための指示を含むプログラム、コンテンツ保護方法に必要な情報などを格納するためのメモリと、Ｗｅｂウィジェット製作装置との有線又は無線通信を行うための通信部と、Ｗｅｂウィジェット製作装置へのリクエスト又は自動で該当プログラムをＷｅｂウィジェット製作装置に転送する制御部とを含むことができる。
【００９５】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【図１】
2014170545.tif 000003
【図２】
2014170545.tif 000004
【図３】
2014170545.tif 000005
【図４】
2014170545.tif 000006
【図５】
2014170545.tif 000007
【図６】
2014170545.tif 000008
【図７】
2014170545.tif 000009
【図８Ａ】
2014170545.tif 000010
【図８Ｂ】
2014170545.tif 000011
【図８Ｃ】
2014170545.tif 000012
【図８Ｄ】
2014170545.tif 000013
【図８Ｅ】
2014170545.tif 000014
【図９】
2014170545.tif 000015
【図１０】
2014170545.tif 000016